(57)【要約】【課題】本発明が解決しようとする課題は、水を電解して、一方でアルカリイオン水を生成するとともに、同時に生成される酸性水を無駄にしない電解水生成方法の提供することに有る。【解決手段】本発明は、水を電解し、アルカリイオン水と酸性水を生成する電解水生成方法において、生成した酸性水を貯蔵する酸性水タンクを備えたことを特徴とする電解水生成方法である。これにより、本発明の課題が達成されることとなった。【選択図】　図１
2004000981.tif 000002
【特許請求の範囲】
【請求項１】
水を電解し、アルカリイオン水と酸性水を生成する電解水生成方法において、生成した酸性水を貯蔵する酸性水タンクを備えたことを特徴とする電解水生成方法。
【請求項２】
水を電解し、アルカリイオン水と酸性水を生成する電解水生成方法において、陽極と陰極を反転すると共に、流路を弁により切り替えて生成したアルカリイオン水をアルカリイオン水出口から取り出し、生成した酸性水を酸性水タンクに貯蔵することを特徴とする請求項１記載の電解水生成方法。
【請求項３】
水を電解し、アルカリイオン水と酸性水を生成する電解水生成方法において、生成したアルカリイオン水を浄水フィルターに通すと共に、生成した酸性水を酸性水タンクに貯蔵することを特徴とする請求項１〜２記載の電解水生成方法。
【請求項４】
水を電解し、アルカリイオン水と酸性水を生成する電解水生成方法において、生成したアルカリイオン水を浄水フィルターに通した後に、湯沸し器を通すと共に、生成した酸性水を酸性水タンクに貯蔵することを特徴とする請求項１〜２記載の電解水生成方法。
【発明の詳細な説明】
【０００１】
【発明の利用分野】
本発明は水を電解してアルカリイオン水を生成するとともに、同時に生成される酸性水を生成する電解水生成方法に関する。
【０００２】
【発明が解決しようとする課題】
水道水などの原水を電解して飲用のアルカリイオン水を生成する場合、同時に生成される酸性水はアストリンゼント効果が認められるものの、その多くは利用価値の少ない水としてドレンへ捨てられている。このため、電解水生成方法の使用目的が限定されるとともに、水が無駄になっていたという問題点が有った。
本発明の第１課題は、水を電解して、一方でアルカリイオン水を生成するとともに、同時に生成される酸性水を無駄にしない電解水生成方法の提供することに有る。
本発明の第２課題は、アルカリイオン水が生成する陰極にスケールが付着するという不都合が有り、かかる欠点を解消することによって、維持管理の省力化によりコスト低減を図るという技術の提供に有る。
本発明の第３課題は、飲用のアルカリイオン水のトリハロメタン等の不純物を除去するための浄水フィルターの寿命を延ばし、維持管理の省力化によりコスト低減を図るということに有る。
さらに、本発明の第４課題は、飲食用のアルカリイオン温水の供給をするための最適なシステムを提供することことに有る。
【０００３】
【課題を解決するための手段】
本発明の課題を解決するための手段の具体的な構成は、前述の各請求項記載の発明である。
（用語の説明）
・電解水生成方法とは、水を電解し、アルカリイオン水と酸性水を生成する方法をいう。
・陽極と陰極を反転するとは、電気的に切り替えて、陽極を陰極に、陰極を陽極に切り替えることをいう。ここに、切り替える周期は、スケールの生成を防止に足りる期間であれば良く、例えば、１日毎、あるいは一週間毎、あるいは十日毎であっても良い。
・流路を弁により切り替えるとは、弁によって流路を切り替えることによって、陽極と陰極を反転することによって陰極側で生成することとなったアルカリイオン水をアルカリイオン水出口から取り出すように、かつ陽極側で生成することとなった酸性水を酸性水タンクに通ずるようすることをいう。
・生成したアルカリイオン水を浄水フィルターに通すとは、飲用水として用いられる水を電解して、アルカリイオン水を生成させた後に、浄水フィルターを通すということである。
Ｗは、電解される水量をＷをいう。
Ｗａは、生成されるアルカリイオン水量をいう。
Ｗｂは、生成される酸性イオン水量をいう。略同じ量のアルカリイオン水と酸性イオン水が生成されることから、Ｗａ≒Ｗ／２、Ｗｂ≒Ｗ／２となる。
本装置とは、本発明の電解水生成方法に用いる装置をいう。
１．請求項１記載発明は、水を電解し、アルカリイオン水と酸性水を生成する電解水生成方法において、生成した酸性水を貯蔵する酸性水タンクを備えたことを特徴とする電解水生成方法である。
アルカリイオン水と酸性水を生成する電解水生成方法は、アルカリイオン水を生成するのが主であって、酸性水を生成するのは副である。従来は、アルカリイオン水を生成させる場合、酸性水を無駄に捨てていた。本発明では、生成した酸性水を貯蔵する酸性水タンクを備えたことにより、生成した酸性水を無駄にしない電解水生成方法の提供とい本発明の第１課題を達成することができた。
２．請求項２記載発明は、水を電解し、アルカリイオン水と酸性水を生成する電解水生成方法において、陽極と陰極を反転すると共に、流路を弁により切り替えて生成したアルカリイオン水をアルカリイオン水出口から取り出し、生成した酸性水を酸性水タンクに貯蔵することを特徴とする請求項１記載の電解水生成方法である。
水を電解し、アルカリイオン水と酸性水を生成する電解水生成方法においては、酸性水を生成する陽極にはスケールが付着するということはないが、アルカリイオン水が生成する陰極にスケールが付着するという問題点が有った。
流路を弁により切り替えて生成したアルカリイオン水をアルカリイオン水出口から取り出すことにより、アルカリイオン水生成する陽極にスケールがが余り付着し過ぎない前に、当該陽極が陰極に切り替わって酸性水を生成し、当該酸性水によって付着したスケールを溶解させて洗い流すことができスケールの付着量を大幅に減少させることができ、維持管理の省力化によりコスト低減を図るという本発明の第２課題を達成することができた。
３．請求項３記載発明は、水を電解し、アルカリイオン水と酸性水を生成する電解水生成方法において、生成したアルカリイオン水を浄水フィルターに通すと共に、生成した酸性水を酸性水タンクに貯蔵することを特徴とする請求項１〜２記載の電解水生成方法である。
飲用水用のアルカリイオン水は、浄水フィルターを通す必要が有るが、除菌用の酸性水は、浄水フィルターを必ずしも通す必要がない。
水量Ｗを電解処理した後、生成したアルカリイオン水量Ｗａ≒Ｗ／２のみを浄水フィルターに通す方法は、水量Ｗを浄水フィルターに通した後電解処理する方法に比較して、浄水フィルターの浄化水量は、後者のそれより約半分と少ない。浄水フィルターを通した後で、水を電解して、アルカリイオン水を生成させたのでは、浄水フィルターを通した過剰処理の酸性水も生成することとなる。酸性水は浄水フィルターを通す必要がなく、アルカリイオン水のみを浄水フィルターに通すとすれば、浄水フィルターの寿命が約二倍程長くなる。逆に言えば、浄化フィルターは、前者の方法は、後者の方法に比較して二倍寿命が長くなる。このことは、浄水フィルターの取り替えの周期を大幅に長くすることができるので、特に維持管理を極力嫌う家庭用の場合には、本発明の効果は大きい。
４．請求項４記載発明は、水を電解し、アルカリイオン水と酸性水を生成する電解水生成方法において、生成したアルカリイオン水を浄水フィルターに通した後に、湯沸し器を通すと共に、生成した酸性水を酸性水タンクに貯蔵することを特徴とする請求項１〜２記載の電解水生成方法である。
本発明は、アルカリイオン水は、１００°Ｃ未満では、変化せずそのままであるといことに鑑みてなされたものであり、アルカリイオン水を湯沸し器に通して加熱しても、湯沸し器前後のアルカリイオン水に何らの変化も無いことが本発明の特徴である。本発明において、アルカリイオン水をアルカリイオン水を湯沸し器に通して加熱した後、浄水フィルターに通したのでは、高温下浄水フィルターの一部成分が溶け出す虞、使用者も溶け出すのではないかと疑いをすれば電解水生成装置が売れなくなることが有るからである。飲食用のアルカリイオン水に上記の虞が有るのは致命的であり、本発明の構成にすれば、上記のよな虞が無く、本発明の第４課題を達成することができた。なお、湯沸し器を通して作ったアルカリイオン温水は、レンジ等に比較して熱効率が高く省エネルギーである。
【０００４】
【実施例】
＜弁を反転する前の本装置の使用方法＞
陰極と陽極を反転するとともに、弁Ｖ１とｖ４は閉にし、弁Ｖ２とｖ３は開ににする。陰極と陽極を反転すれば、図で陰極２と有るのは陽極であり、陽極３とあるのは陰極である。
水道水等の原水１０を有隔膜電解槽１において電気分解すると、陰極室５（実際は陽極室）から、例えばｐＨ８〜１１の酸性水１２が生成されるとともに、陰極室５（実際は陽極室）からはｐＨ３〜４程度の飲用のアルカリイオン水１１が生成される。
以下に本発明の実施例を説明する。有隔膜電解槽１は、対向配設した陰極２（実際は陽極）と陽極室３（実際は陰極室）間を電解隔膜４によって陰極室５（実際は陽極室）と陽極室６（実際は陰極室）に仕切った構成になり、電解槽１内に原水１０を給水して、両電極に直流の電解電圧を印加することにより、水が電気分解され、陰極室５（陽極室）に酸性水１２を生成され、陽極室６（陰極室）にアルカリイオン水１１が生成されるようになっている。
図の実施例の電解槽１は原水を連続的に給水しながら電解する連続式電解槽を例示している。陰極室５のアルカリイオン水はアルカリ水ライン７から、浄水フィルター１００を通って、さらに、湯沸し器１０１を通って、取水蛇口（図省略）へ送られて、飲用等に供されるとともに、陽極室６に生成された酸性水は酸性水ライン８から酸性水タンク９に収容される。
＜弁を反転する前の本装置の使用方法＞
弁Ｖ１とｖ４は閉→開にし、弁Ｖ２とｖ３は開→閉ににする。
陰極、陽極は、本発明では、反転するのであるが、以下の＜弁を反転する前の本装置の使用方法＞の説明では、陰極、陽極は図７に記載された通りとする。
水道水等の原水１０を有隔膜電解槽１において電気分解すると、陰極室５から、例えばｐＨ８〜１１の飲用のアルカリイオン水１１が生成されるとともに、陰極室５からはｐＨ３〜４程度の酸性水１２が生成される。
以下に本発明の実施例を説明する。有隔膜電解槽１は、対向配設した陰極２と陽極室３間を電解隔膜４によって陰極室５と陽極室６に仕切った構成になり、電解槽１内に原水１０を給水して、両電極に直流の電解電圧を印加することにより、水が電気分解され、陰極室５にアルカリイオン水１１を生成され、陽極室６に酸性水１２が生成されるようになっている。
図７の実施例の電解槽１は原水を連続的に給水しながら電解する連続式電解槽を例示しているる。陰極室５のアルカリイオン水はアルカリ水ライン７から、浄水フィルター１００を通って、さらに、湯沸し器１０１を通って、取水蛇口（図省略）へ送られて、飲用等に供されるとともに、陽極室６に生成された酸性水は酸性水ライン８から酸性水タンク９に収容される。
【効果】本発明は電解により正規の目的のアルカリイオン水を生成することができるとともに、同時に生成される酸性水の付加価値を高め、殺菌水として使用することができるのできわめて合理的であり、また、原水をすべて有効に利用できるので経済的である。
【図面の簡単な説明】
【図１】は、本発明の概略構成図である。
【符号の説明】
１…電解槽
２…陰極
３…陽極
４…電解隔膜
５…陰極室
６…陽極室
７…アルカリ水ライン
８…酸性水ライン
９…酸性水タンク
１０…原水
１１…アルカリイオン水
１２…酸性水
１００…浄水フィルター
１０１…湯沸し器
【図１】
2004000981.tif 000003